(57)【要約】【課題】            収納物品の出し入れを容易にした構造の蓋付き収納ボックスを提供する。特に、収納ラックの引き出し空間に入れて用いた場合において、収納物品の出し入れを容易に行なえる蓋付き収納ボックスを提供する。【解決手段】        蓋体２０の前蓋部２５が蓋板部用折れ線部２３を介して閉位置から開位置へ移動されることによって、収納ボックス２の前壁板部６が前壁板部用折れ線部１０を介して起立された閉位置から前方向に倒れた開位置へ倒れる構成とし、全開された蓋付き収納ボックスの前面側から収納物品の出し入れを容易に行なえるようにした。【選択図】          図２
0003128844.tif 000002
【実用新案登録請求の範囲】
【請求項１】
上面が開口された有り底直方体形状の収納ボックス（２）と、この収納ボックスの上面開口部（３）を覆う蓋体（２０）とから構成され、前記蓋体は、前記収納ボックスの上面開口部を覆う蓋板部（２１）と、該蓋板部の四コーナーを含む周辺からほぼ直角に且つ一体的に垂設した係止用縁片（２２）を備え、前記収納ボックスの上面開口縁部（４）を前記蓋体の係止用縁片（２２）で外側から着脱自在に嵌合できるように構成され、前記収納ボックス（２）は、長方形又は正方形から成る方形の底壁板部（５）と、該底壁板部の四辺に対応する四側壁として機能する前壁板部（６）、後壁板部（７）、左壁板部（８）、及び右壁板部（９）とから構成され、前記前壁板部（６）は、隣接する前記左壁板部（８）及び右壁板部（９）の各側縁部から分離されたフリー構造であると共に、前記底壁板部（５）の前辺部にヒンジとして機能する前壁板部用折れ線部（１０）を介して連接され、よって、該前壁板部用折れ線部（１０）を介してほぼ垂直に起立した閉位置と前方向に倒れた開位置との間を開閉される開閉構造とされ、前記蓋体（２０）は、前記収納ボックスの上面開口縁部（４）に嵌合された状態において前記前壁板部用折れ線部（１０）と平行に設けられたヒンジとして機能する蓋板部用折れ線部（２３）を前記蓋板部（２１）に形成すると共に、この蓋板部用折れ線部（２３）の両延長線上の前記係止用縁片部分を切除（２４）し、前記蓋板部用折れ線部（２３）を介してヒンジ的に接続された前蓋部（２５）と後蓋部（２６）とに構成し、前記前蓋部（２５）を、該前蓋部（２５）の前方に設けられた前記係止用縁片（２２ａ）でほぼ垂直に起立された閉位置にある前記前壁板部（６）の上端部を外側から係止可能な閉位置と、該前蓋部（２５）の前方に設けられた前記係止用縁片（２２ａ）による前記前壁板部（６）の上端部の係止を解除できる上方に開けられた開位置に前記蓋板部用折れ線部（２３）を介して開閉される開閉構造とし、前記前蓋部（２５）を閉位置から開位置へ移動させることによって、前記前壁板部（６）が前記前壁板部用折れ線部（１０）を介して起立された閉位置から前方向に倒れた開位置へ倒れる構成としたことを特徴とする蓋付き収納ボックス。
【請求項２】
前記後壁板部（７）、前記左壁板部（８）、及び前記右壁板部（９）は、前記底壁板部（５）の各対応辺部にヒンジとして機能する各折れ線部（１２，１２，１２）を介してそれぞれ連接されると共に、互いに隣接する各側縁部から分離可能なフリー構造とされ、互いに隣接する側縁部の一方に縦折れ線部（１３）を介して折り込み片（１４）をそれぞれ連接し、この折り込み片（１４）と該折り込み片に対接される側縁部とに着脱自在な雄雌の止着部材（１５ａ，１５ｂ）をそれぞれ取付け、前記後壁板部（７）、前記左壁板部（８）、及び前記右壁板部（９）を前記止着部材（１５ａ，１５ｂ）を介して起立状態に固定した組立て式の固定構造としたことを特徴とする請求項１記載の蓋付き収納ボックス。
【考案の詳細な説明】
【技術分野】
【０００１】
本考案は、日用品や衣類などの小物品を収納する蓋付き収納ボックスに係り、収納物品の出し入れが容易な構造を有し、収納ラックなどの引き出し空間に入れて引出し用収納箱として用いた場合に特に利用価値が高い、蓋付き収納ボックスに関するものである。
【背景技術】
【０００２】
日用品や衣類など種々の物品を収納する、上面が開口された有り底の直方体形状の収納ボックスが日常的に広く用いられている。この収納ボックスは、収納ボックスとして単独に用いられるほか、収納ラックの引出し箱としても用いられる。しかし、上面が開口された蓋なし構造の収納ボックスでは、埃などの侵入を防ぐことができず、蓋を欲する需要者の要求を満たすことができない。
【０００３】
蓋付き収納ボックスとしては、例えば、本出願人が提案した実用新案登録第３１１９１１１号の折り畳み自在な収納ボックスがある。この収納ボックスは折り畳み構造を主な特徴としたものであるが、収納ボックスの上面開口を覆う柔軟な蓋部をスライドファスナーで開閉自在にした構造である。しかし、この蓋付きの収納ボックスを引出し箱として用いた場合、収納物品を出し入れするためには、狭い引き出し空間から収納ボックスのほぼ全体を引き出してから、スライドファスナーのほぼ全体を開け、蓋全体を開けて行うため、収納物品の出し入れが容易な構造とは言いがたいものであった。
【０００４】
【特許文献１】実用新案登録第３１１９１１１号公報
【考案の開示】
【考案が解決しようとする課題】
【０００５】
本考案は、上面を開口した有り底直方体形状の収納ボックスと、この収納ボックスの上面開口を覆う蓋体とから構成した蓋付き収納ボックスであって、収納物品の出し入れを容易にした構造の蓋付き収納ボックスを提供することを目的とし、特に、この蓋付き収納ボックスを収納ラックなどの引き出し空間に入れて引出し用収納箱として用いた場合、収納ラックの引き出し空間にこの蓋付き収納ボックスを入れた状態においても、収納物品の出し入れを容易に行なうことができる蓋付き収納ボックスを提供することを目的とする。
【課題を解決するための手段】
【０００６】
上記の課題を達成するため、本考案に係る蓋付き収納ボックスは、上面が開口された有り底直方体形状の収納ボックス（２）と、この収納ボックスの上面開口部（３）を覆う蓋体（２０）とから構成され、前記蓋体は、前記収納ボックスの上面開口部を覆う蓋板部（２１）と、該蓋板部の四コーナーを含む周辺からほぼ直角に且つ一体的に垂設した係止用縁片（２２）を備え、前記収納ボックスの上面開口縁部（４）を前記蓋体の係止用縁片（２２）で外側から着脱自在に嵌合できるように構成され、前記収納ボックス（２）は、長方形又は正方形から成る方形の底壁板部（５）と、該底壁板部の四辺に対応する四側壁として機能する前壁板部（６）、後壁板部（７）、左壁板部（８）、及び右壁板部（９）とから構成され、前記前壁板部（６）は、隣接する前記左壁板部（８）及び右壁板部（９）の各側縁部から分離されたフリー構造であると共に、前記底壁板部（５）の前辺部にヒンジとして機能する前壁板部用折れ線部（１０）を介して連接され、よって、該前壁板部用折れ線部（１０）を介してほぼ垂直に起立した閉位置と前方向に倒れた開位置との間を開閉される開閉構造とされ、前記蓋体（２０）は、前記収納ボックスの上面開口縁部（４）に嵌合された状態において前記前壁板部用折れ線部（１０）と平行に設けられたヒンジとして機能する蓋板部用折れ線部（２３）を前記蓋板部（２１）に形成すると共に、この蓋板部用折れ線部（２３）の両延長線上の前記係止用縁片部分を切除（２４）し、前記蓋板部用折れ線部（２３）を介してヒンジ的に接続された前蓋部（２５）と後蓋部（２６）とに構成し、前記前蓋部（２５）を、該前蓋部（２５）の前方に設けられた前記係止用縁片（２２ａ）でほぼ垂直に起立された閉位置にある前記前壁板部（６）の上端部を外側から係止可能な閉位置と、該前蓋部（２５）の前方に設けられた前記係止用縁片（２２ａ）による前記前壁板部（６）の上端部の係止を解除できる上方に開けられた開位置に前記蓋板部用折れ線部（２３）を介して開閉される開閉構造とし、前記前蓋部（２５）を閉位置から開位置へ移動させることによって、前記前壁板部（６）が前記前壁板部用折れ線部（１０）を介して起立された閉位置から前方向に倒れた開位置へ倒れる構成としたことを特徴とする。
【０００７】
本考案の蓋付き収納ボックスによれば、前記前壁板部（６）をほぼ垂直に起立させた閉位置においては、前記収納ボックスの上面開口縁部（４）を外側から嵌合する前記前蓋部（２５）の前方に設けられた前記係止用縁片（２２ａ）で前記前壁板部（６）の上端部を外側から係止可能であり、前記前蓋部（２５）が前記蓋板部用折れ線部（２３）を介して上方に開けられ、該前蓋部（２５）の係止用縁片（２２ａ）の係止から前記前壁板部（６）を開放した際には、前記前壁板部（６）が前記前壁板部用折れ線部（１０）を介して起立された閉位置から前方向に倒れた開位置へ自然に倒れ、蓋付き収納ボックスの前面側がほぼ全開され、ほぼ全開された前面側から収納物品の出し入れを容易に行うことができる。
【０００８】
本考案の蓋付き収納ボックスは、収納ラックなどの引き出し空間に入れて引出し用収納箱として用いた場合に便利であり、特に、本考案の蓋付き収納ボックスを収納ラックなどの引き出し収納空間に高さ方向の余分な空間を空けずにほぼジャストサイズで収容できる大きさに形成し、この収納ラックなどの引き出し空間に入れてジャストサイズな引出し用収納箱として用いた場合において、大きな効果を発揮する。すなわち、収納物品の出し入れに際し、収納ラックなどの引き出し収納空間から本考案の蓋付き収納ボックスを少し前方に引き出し、前記前蓋部（２５）の前側を少し上方に開けるだけで、前蓋部（２５）の前方に設けられた前記係止用縁片（２２ａ）による前記前壁板部（６）の上端部の係止が解除され、前記前壁板部（６）が前記前壁板部用折れ線部（１０）を介して起立された閉位置から前方向に倒れた開位置へ自然に倒され、蓋付き収納ボックスの前面側がほぼ全開され、ほぼ全開された前面側から収納物品の出し入れを容易に行うことができる。
【０００９】
また、本考案に係る蓋付き収納ボックスは、前記後壁板部（７）、前記左壁板部（８）、及び前記右壁板部（９）を、前記底壁板部（５）の各対応辺部にヒンジとして機能する各折れ線部（１２，１２，１２）を介してそれぞれ連接すると共に、互いに隣接する各側縁部から分離可能なフリー構造とし、互いに隣接する側縁部の一方に縦折れ線部（１３）を介して折り込み片（１４）をそれぞれ連接し、この折り込み片（１４）と該折り込み片に対接される側縁部とに着脱自在な雄雌の止着部材（１５ａ，１５ｂ）をそれぞれ取付け、前記後壁板部（７）、前記左壁板部（８）、及び前記右壁板部（９）を前記止着部材（１５ａ，１５ｂ）を介して起立状態に固定した組立て式の固定構造としたことを特徴とする。前記止着部材（１５ａ，１５ｂ）としては、雄雌ホック等の留具、雄雌の面ファスナーなどを用いる。
【００１０】
前記後壁板部（７）、前記左壁板部（８）、及び前記右壁板部（９）は、前記止着部材（１５ａ，１５ｂ）を介して固着すれば、略収納ボックス形状の固定構造に組立てられ、前記止着部材の固定を外せば、前記各折れ線部（１２，１２，１２）等の折り畳み機能によって、それぞれ折り畳み可能な構造となる。
【考案の効果】
【００１１】
本考案に係る蓋付き収納ボックスによれば、蓋付き収納ボックスの前面側すなわち前記前壁板部を簡単に開閉でき、開けられた前面側から収納物品の出し入れを容易に行うことができる。特に、本考案に係る蓋付き収納ボックスを収納ラックなどの引き出し空間に入れて引出し用収納箱として用いた場合、収納ラックの引き出し空間にこの蓋付き収納ボックスを入れた状態においても、この蓋付き収納ボックスの前面側を簡単に開閉でき、この前面側から収納物品の出し入れを容易に行うことができる。
【考案を実施するための最良の形態】
【００１２】
以下、本考案の最良の実施形態を示した図面に基づいて説明する。図１は閉状態とした本考案の斜視図、図２は開状態とした本考案の斜視図である。
【００１３】
本考案の蓋付き収納ボックス１は、上面が開口された有り底直方体形状の収納ボックス２と、この収納ボックス２の上面開口部３を着脱自在に覆う別体の蓋体２０とから構成される。
【００１４】
前記収納ボックス２は、方形（この実施形態では長方形）の底壁板部５と、該底壁板部５の四辺に対応する四側壁として機能する前壁板部６、後壁板部７、左壁板部８、及び右壁板部９とから構成され、前記後壁板部７、前記左壁板部８、及び前記右壁板部９は、起立状態にある該後壁板部７の両側縁部が隣接する起立状態にある前記左壁板部８及び右壁板部９の各側縁部に固定された組立て式の固定構造（組立て式の固定構造については後で詳説する。）であり、前記前壁板部６は、隣接する前記左壁板部８及び右壁板部９の各側縁部から分離されたフリー構造であると共に、前記底壁板部５の前辺部にヒンジとして機能する前壁板部用折れ線部１０を介して連接され、よって、該前壁板部用折れ線部１０を介してほぼ垂直に起立した閉位置と前方向に倒れた開位置との間を開閉される開閉構造としてある。
【００１５】
前記蓋体２０は、前記収納ボックス２の上面開口部３を覆う蓋板部２１と、該蓋板部２１の四コーナーを含む周辺からほぼ直角に且つ一体的に垂設した係止用縁片２２を備え、前記収納ボックス２の上面開口縁部４を前記蓋体２０の係止用縁片２２で外側から着脱自在に嵌合できるように構成してある。さらに、前記蓋体２０は、前記収納ボックス２の上面開口縁部４に嵌合された状態において前記前壁板部用折れ線部１０と平行に設けられたヒンジとして機能する蓋板部用折れ線部２３を前記蓋板部２１に形成すると共に、この蓋板部用折れ線部２３の両延長線上の前記係止用縁片部分を切除（この切除部を符号２４で示した。）し、前記蓋板部用折れ線部２３を介してヒンジ的に接続された前蓋部２５と後蓋部２６とに構成してある。
【００１６】
前記蓋板部用折れ線部２３を介して前記後蓋部２６とヒンジ的に接続された前記前蓋部２５は、該前蓋部２５の前方に設けられた前記係止用縁片２２ａでほぼ垂直に起立された閉位置にある前記前壁板部６の上端部を外側から係止可能な閉位置（図１参照）と、該前蓋部２５の前方に設けられた前記係止用縁片２２ａによる前記前壁板部６の上端部の係止を解除できる上方に開けられた開位置（図２参照）に前記蓋板部用折れ線部２３を介して開閉される開閉構造とされている。前記前蓋部２５の前方側を閉位置から開位置へ移動させることによって、前記前壁板部６が前記前壁板部用折れ線部１０を介して起立された閉位置（図１参照）から前方向に倒れた開位置（図２参照）へ自然に倒れるように構成してある。
【００１７】
このように構成された本考案の蓋付き収納ボックス１は、図１に示したように、前記前蓋部２５の前方に設けられた前記係止用縁片２２ａでほぼ垂直に起立させた閉位置にある前記前壁板部６の上端部を外側から係止することによって、閉じられた蓋付き収納ボックスとされ、図２に示したように、前記前蓋部２５が前記蓋板部用折れ線部２３を介してすこし上方に開けられ、該前蓋部２５の係止用縁片２２ａの係止から前記前壁板部６を開放した際には、前記前壁板部６が前記前壁板部用折れ線部１０を介して起立された閉位置から前方向に倒れた開位置へ自然に倒れ、蓋付き収納ボックス１の前面側がほぼ全開され、ほぼ全開された前面側から収納物品の出し入れを行えるようにしている。
【００１８】
図３は前記収納ボックス２の組み立て状態を示した斜視図である。図３に示したように、前記後壁板部７、前記左壁板部８、及び前記右壁板部９は、前記底壁板部５の各対応辺部にヒンジとして機能する各折れ線部１２，１２，１２を介してそれぞれ連接されると共に、互いに隣接する各側縁部から分離可能なフリー構造とされ、互いに隣接する一方の側縁部（図示した実施形態では、前記後壁板部７に隣接する前記左壁板部８の側縁部、及び前記後壁板部７に隣接する前記右壁板部９の側縁部）に縦折れ線部１３を介して折り込み片（後部折り込み片）１４をそれぞれ連接し、この折り込み片（後部折り込み片）１４と該折り込み片（後部折り込み片）に対接される側縁部（図示した実施形態では、前記後壁板部７の両側縁部）に着脱自在な雄雌ホックの留具からなる雄雌の止着部材１５ａ，１５ｂ（雄側を１５ａ，雌側を１５ｂとして示した。）を縦方向に間隔をおいて複数それぞれ取付け、前記後壁板部７、前記左壁板部８、及び前記右壁板部９を前記止着部材（１５ａ，１５ｂ）を介して起立状態に固定した組立て式の固定構造としている。前記後壁板部７、前記左壁板部８、及び前記右壁板部９は、前記止着部材１５ａ，１５ｂを介して固着すれば、略収納ボックス形状の固定構造に組立てられ、前記止着部材の固定を外せば、前記各折れ線部１２，１２，１２等の折り畳み機能によって、それぞれ折り畳み可能であり、収納ボックスの全体をコンパクトな扁平な折り畳み形態に折り畳むことができる。なお、前記止着部材１５ａ，１５ｂとしては、雄雌ホック等の留具の他、雄雌の面ファスナーによってもよい。
【００１９】
また、前記左壁板部８及び前記右壁板部９の前方側の各側縁部に縦折れ線部１６を介して折り込み片（前部折り込み片）１７をそれぞれ連接し、この折り込み片（前部折り込み片）１７の存在によって、閉止状態の前記前壁板部６と隣接する前記左壁板部８及び前記右壁板部９との隙間を無くす機能のほか、前記前壁板部６を前方向に倒れる方向へ弱い付勢力を与える機能も有している。
【００２０】
前記収納ボックス２及び前記蓋体２０は、それぞれ厚い硬めの板紙を基材（図示せず）とし、この基材の表面側に布製の表面被覆シート材を、裏面側に紙製の裏面被覆シート材を貼り付けた、ハード構造としている。前記収納ボックス２における前記底壁板部５及び前記前壁板部６及び組立て構造の後壁板部７、左壁板部８、右壁板部９は、各壁板部の平面形状に対応した方形の厚い硬めの板紙を基材（図示せず）とし、この基材の表面側に布製の表面被覆シート材を、裏面側に紙製の裏面被覆シート材を貼り付け、且つこれらの表裏面被覆シート材で各壁板部の端部間に沿う境目の連接箇所（前記前壁板部用折れ線部１０や各折れ線部１２，１２，１２）を連接し、この連接箇所（前記前壁板部用折れ線部１０や各折れ線部１２，１２，１２）に位置する表裏面被覆シート材によって、各連接箇所（前記前壁板部用折れ線部１０や各折れ線部１２，１２，１２）をヒンジとして機能するように折り曲げ自在に構成している。また、前記縦折れ線部１３，１６を介して連接された折り込み片（後部折り込み片）１４，１７の折り曲げ構造も、前記した構成と同様に前記基材と表裏面被覆シート材によって構成される。また、前記蓋体２０も、前蓋部２５と後蓋部２６をそれぞれ厚い硬めの板紙から基材（図示せず）で形成し、この基材の表面側に布製の表面被覆シート材を、裏面側に紙製の裏面被覆シート材を貼り付け、且つこれらの表裏面被覆シート材で前後蓋部２５，２６の端部間に沿う境目の連接箇所（前記蓋板部用折れ線部２３）を連接し、この連接箇所（前記蓋板部用折れ線部２３）に位置する表裏面被覆シート材によって、連接箇所（前記蓋板部用折れ線部２３）をヒンジとして機能するように折り曲げ自在に構成している。
【００２１】
また、符号１８は前記前壁板部６に開口形成された開口窓部であり、この開口窓部１８は収納物品を外部から確認するのに有用であると共に、本考案の蓋付き収納ボックス１を後述する収納ラックの引き出し箱として用いた場合に、この開口窓部１８に手を掛けて蓋付き収納ボックス１を前方に引き出すのに有用である。なお、この開口窓部は前記後壁板部７にも形成してしても良い。
【００２２】
図４は本考案の好ましい使用例を示したものである。図４の符号３０は、前面が開口された複数の収納空間３０ａを棚板部によって上下に隔てて構成した収納ラック（カラーボックスと一般に称されている。）である。本考案の蓋付き収納ボックス１は、この収納ラック３０の各収納空間（引き出し収納空間）３０ａに入れて引出し用収納箱として用いた場合に便利であり、特に、図４の如く、本考案の蓋付き収納ボックス１を収納ラック３０の各収納空間（引き出し収納空間）３０ａに高さ方向の余分な空間を空けずにほぼジャストサイズで収容できる高さサイズの大きさに形成し、この収納ラック３０の各収納空間（引き出し収納空間）３０ａに入れてジャストサイズな引出し用収納箱として用いた場合において、大きな効果を発揮する。すなわち、収納物品の出し入れに際し、収納ラック３０の各収納空間（引き出し収納空間）３０ａから本考案の蓋付き収納ボックス１を少し前方に引き出し、前記前蓋部２５の前側を少し上方に開けるだけで、前蓋部２５の前方に設けられた前記係止用縁片２２ａによる前記前壁板部６の上端部の係止が解除され、前記前壁板部６が前記前壁板部用折れ線部１０を介して起立された閉位置から前方向に倒れた開位置へ自然に倒され、蓋付き収納ボックスの前面側がほぼ全開され、ほぼ全開された前面側から収納物品の出し入れを容易に行うことができる。
【００２３】
図４に示したように、本考案の蓋付き収納ボックス１は、前記収納ラック３０の各収納空間（引き出し収納空間）３０ａの横幅にほぼジャストサイズで収容できる大きな横幅サイズの大型サイズ（収納ラックの上段に示した。）と、この大型サイズの約半分の横幅サイズで形成されたハーフサイズ（収納ラックの中段及び下段に示した。）として提供できる。図１，２で示した蓋付き収納ボックス１は、ハーフサイズの蓋付き収納ボックス１である。大型サイズ、ハーフサイズの蓋付き収納ボックス１は、横幅サイズを異にするほか、その他の構成は同じである。
【実施例１】
【００２４】
図示した蓋付き収納ボックスの外形サイズは、図４に示した大型サイズで、横幅を約３８ｃｍ、高さ幅を約２５ｃｍ、奥行き幅を約２５ｃｍに形成し、同じく図４に示したハーフサイズ（図１，２で示した蓋付き収納ボックス）で、横幅を約１８ｃｍ、高さ幅を約２５ｃｍ、奥行き幅を約２５ｃｍに形成した。しかし、本考案の蓋付き収納ボックスの大きさは、これらのサイズに限定されないことは勿論である。
【図面の簡単な説明】
【００２５】
【図１】本考案の斜視図である。
【図２】開状態とした本考案の斜視図である。
【図３】本考案の収納ボックスの組み立て状態を示した斜視図である。
【図４】本考案の使用例を示した斜視図である。
【符号の説明】
【００２６】
１  蓋付き収納ボックス
２  収納ボックス
５  底壁板部
６  前壁板部
７  後壁板部
８  左壁板部
９  右壁板部
１０  前壁板部用折れ線部
１８  開口窓部
２０  蓋体
２１  蓋板部
２２  係止用縁片
２３  蓋板部用折れ線部
２５  前蓋部
２６  後蓋部
３０  収納ラック
【図１】
0003128844.tif 000003
【図２】
0003128844.tif 000004
【図３】
0003128844.tif 000005
【図４】
0003128844.tif 000006